【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
高効率ワイヤレス周波数分割多重化の方法であって、
アクセスポイントから第１のワイヤレスデバイスと第２のワイヤレスデバイスに、前記第１のワイヤレスデバイスと前記第２のワイヤレスデバイスの両方による使用のために利用可能なワイヤレス周波数のセットを含むワイヤレス媒体全体を予約するための基準信号を送信することと、前記基準信号は、前記第１のワイヤレスデバイスと前記第２のワイヤレスデバイスのうちの少なくとも１つが通信を送信すべき電力レベルの指示を含み、前記基準信号は、フレーム制御フィールドと、持続時間フィールドと、受信アドレスフィールドと、送信アドレスフィールドと、長さフィールドと、ＳＴＡ情報フィールドと、１つまたは複数のオプションのパディングビットと、フレームチェックシーケンス（ＦＣＳ）とを含むデータフレームをさらに備える、
前記基準信号を送信することに応答して、前記アクセスポイントにおいて前記第１のワイヤレスデバイスから、前記ワイヤレス周波数のセットの第１のサブセット上で第１の通信を受信することと、
前記基準信号を送信することに応答して、前記アクセスポイントにおいて前記第２のワイヤレスデバイスから、前記ワイヤレス周波数のセットの第２のサブセット上で第２の通信を受信することと、前記ワイヤレス周波数の第１のサブセットおよび前記ワイヤレス周波数の第２のサブセットは、前記ワイヤレス周波数のセットの相互排他的なサブセットであり、前記アクセスポイントは、少なくとも部分的に重複する時間において前記第１のワイヤレス通信と前記第２のワイヤレス通信を受信する、
前記アクセスポイントから前記ワイヤレス周波数の第１のサブセットのみで、前記第１の通信と前記第２の通信の両方の単一のブロードキャスト確認応答を送信することと、
を備える、方法。
【請求項２】
前記ワイヤレス周波数の第１のサブセットおよび／または第２のサブセットを前記第１のデバイスまたは前記第２のデバイスにそれぞれ割り当てることをさらに備える、請求項１に記載の方法。
【請求項３】
前記第１のデバイスまたは前記第２のデバイスから、前記ワイヤレス周波数の第１のサブセットまたは第２のサブセットの指示をそれぞれ受信することをさらに備える、請求項１に記載の方法。
【請求項４】
前記第１のワイヤレスデバイスは、前記第１のワイヤレスデバイスと前記第２のワイヤレスデバイスの両方による使用のために利用可能な前記ワイヤレス周波数のセット全体上で同時に送信することができないレガシーデバイスを備える、請求項１に記載の方法。
【請求項５】
ワイヤレス媒体を予約する少なくとも１つのフレームを交換することは、前記第１のデバイスおよび前記第２のデバイスのうちの少なくとも１つから、送信準備完了（ＲＴＸ）フレームを受信することを備える、請求項１に記載の方法。
【請求項６】
前記送信準備完了（ＲＴＸ）フレームは、フレーム制御フィールドと、持続時間フィールドと、ソースアドレスフィールドと、宛先アドレスフィールドと、以下の指示、すなわち、要求された送信時間、送信のためのキューのサイズ、前記要求された送信のためのサービス品質（ＱｏＳ）指示、および要求された送信帯域幅のうちの１つもしくは複数を備える情報ペイロードとのうちの１つまたは複数を備える、請求項５に記載の方法。
【請求項７】
前記送信準備完了（ＲＴＸ）フレームは、リバース決定グラント（ＲＤＧ）＝１という指示をもつ高スループット制御（ＨＴＣ）フィールドを含むデータフレームを備える、請求項５に記載の方法。
【請求項８】
前記基準信号は、リバース決定グラント（ＲＤＧ）＝１という指示をもつ高スループット制御（ＨＴＣ）フィールドを含む、請求項１に記載の方法。
【請求項９】
前記基準信号は、パワーセーブマルチポール（ＰＳＭＰ）フレームの少なくとも一部分を備え、ＳＴＡ情報フィールド内のＰＳＭＰ−ＵＴＴ開始オフセットは、アップリンク周波数分割多元接続（ＵＬ  ＦＤＭＡ）送信のための開始時間を識別し、ＰＳＭＰ−ＵＴＴ持続時間は、前記ＵＬ  ＦＤＭＡ送信の持続時間を識別し、ＳＴＡ  ＩＤフィールドは、送信することを可能にされたＳＴＡの識別子を備える、請求項１に記載の方法。
【請求項１０】
前記基準信号は、サードパーティデバイスのための遅延時間の指示を備える、請求項１に記載の方法。
【請求項１１】
前記基準信号は、特定の時間において送信するために適格であるデバイスの指示を備える、請求項１に記載の方法。
【請求項１２】
前記基準信号は、前記ワイヤレス周波数の第２のサブセットを使用することが各々可能な１つまたは複数のデバイスを含むワイヤレスデバイスのセットへのチャネルの割当てを備える、請求項１に記載の方法。
【請求項１３】
前記基準信号は、前記ワイヤレスデバイスのセット中の少なくとも１つのデバイスの送信時間の指示を備える、請求項１に記載の方法。
【請求項１４】
前記基準信号は、送信可フレーム（ＣＴＳ）を備える、請求項１に記載の方法。
【請求項１５】
前記基準信号は、送信可フレーム（ＣＴＳ）と、１つまたは複数のペイロード要素を備える拡張ペイロードとを備える、請求項１に記載の方法。
【請求項１６】
前記基準信号は、１つまたは複数のターゲットデバイスを指示する高スループット制御（ＨＴＣ）フィールドを備える送信可フレーム（ＣＴＳ）を備える、請求項１に記載の方法。
【請求項１７】
前記基準信号は、送信可フレーム（ＣＴＳ）と１つまたは複数のペイロード要素とを備える、アグリゲートメディアアクセス制御プロトコルデータユニット（Ａ−ＭＰＤＵ）を備える、請求項１に記載の方法。
【請求項１８】
前記第１のワイヤレスデバイスおよび前記第２のワイヤレスデバイスから通信を受信するための時間をスケジュールすることをさらに備える、請求項１に記載の方法。
【請求項１９】
前記第１のワイヤレスデバイスおよび前記第２のワイヤレスデバイスから通信を受信するための時間をスケジュールすることと、前記スケジュールされた時間に、前記第１のワイヤレスデバイスおよび前記第２のワイヤレスデバイスへ、基準信号を送信することとをさらに備える、請求項１に記載の方法。
【請求項２０】
少なくとも１つのデバイスから、前記少なくとも１つのデバイスがデータを送る準備ができているという指示を受信することをさらに備える、請求項１に記載の方法。
【請求項２１】
少なくとも１つのデバイスから、前記少なくとも１つのデバイスがデータを送る準備ができていることを指示するサービス品質（ＱｏＳ）フィールドを受信することをさらに備える、請求項１に記載の方法。
【請求項２２】
少なくとも１つのデバイスから、前記少なくとも１つのデバイスがデータを送る準備ができていることを指示するパワーセーブポール（ＰＳ−Ｐｏｌｌ）フレームを受信することをさらに備える、請求項１に記載の方法。
【請求項２３】
高効率ワイヤレス周波数分割多重化を実行するように構成されたアクセスポイントであって、
プロセッサと、
第１のワイヤレスデバイスと第２のワイヤレスデバイスに、前記第１のワイヤレスデバイスと前記第２のワイヤレスデバイスの両方による使用のために利用可能なワイヤレス周波数のセットを含むワイヤレス媒体全体を予約するための基準信号を送信するように構成された送信機と、前記基準信号は、前記第１のワイヤレスデバイスと前記第２のワイヤレスデバイスのうちの少なくとも１つが通信を送信すべき電力レベルの指示を含み、前記基準信号は、フレーム制御フィールドと、持続時間フィールドと、受信アドレスフィールドと、送信アドレスフィールドと、長さフィールドと、ＳＴＡ情報フィールドと、１つまたは複数のオプションのパディングビットと、フレームチェックシーケンス（ＦＣＳ）とを含むデータフレームをさらに備える、
前記基準信号を送信することに応答して、前記第１のワイヤレスデバイスから、前記ワイヤレス周波数のセットの第１のサブセット上で第１の通信を受信することと、
前記基準信号を送信することに応答して、前記第２のワイヤレスデバイスから、前記ワイヤレス周波数のセットの第２のサブセット上で第２の通信を受信することと、前記ワイヤレス周波数の第１のサブセットおよび前記ワイヤレス周波数の第２のサブセットは、前記ワイヤレス周波数のセットの相互排他的なサブセットであり、前記アクセスポイントは、少なくとも部分的に重複する時間において前記第１のワイヤレス通信と前記第２のワイヤレス通信を受信する、
を行うように構成された受信機と、
を備え、
前記送信機は、前記ワイヤレス周波数の第１のサブセットのみで、前記第１の通信と前記第２の通信の両方の単一のブロードキャスト確認応答を送信するようにさらに構成される、アクセスポイント。
【請求項２４】
前記プロセッサは、前記ワイヤレス周波数の第１のサブセットまたは第２のサブセットを前記第１のデバイスまたは前記第２のデバイスにそれぞれ割り当てるようにさらに構成される、請求項２３に記載のアクセスポイント。
【請求項２５】
前記受信機は、前記第１のデバイスまたは前記第２のデバイスから、前記ワイヤレス周波数の第１のサブセットまたは第２のサブセットの指示をそれぞれ受信するようにさらに構成される、請求項２３に記載のアクセスポイント。
【請求項２６】
前記第１のワイヤレスデバイスは、前記第１のワイヤレスデバイスと前記第２のワイヤレスデバイスの両方による使用のために利用可能な前記ワイヤレス周波数のセット全体上で同時に送信することができないレガシーデバイスを備える、請求項２３に記載のアクセスポイント。
【請求項２７】
ワイヤレス媒体を予約する少なくとも１つのフレームを交換することは、前記第１のデバイスおよび前記第２のデバイスのうちの少なくとも１つから、送信準備完了（ＲＴＸ）フレームを受信することを備える、請求項２３に記載のアクセスポイント。
【請求項２８】
前記送信準備完了（ＲＴＸ）フレームは、フレーム制御フィールドと、持続時間フィールドと、ソースアドレスフィールドと、宛先アドレスフィールドと、以下の指示、すなわち、要求された送信時間、送信のためのキューのサイズ、前記要求された送信のためのサービス品質（ＱｏＳ）指示、および要求された送信帯域幅のうちの１つもしくは複数を備える情報ペイロードとのうちの１つまたは複数を備える、請求項２７に記載のアクセスポイント。
【請求項２９】
前記送信準備完了（ＲＴＸ）フレームは、リバース決定グラント（ＲＤＧ）＝１という指示をもつ高スループット制御（ＨＴＣ）フィールドを含むデータフレームを備える、請求項２７に記載のアクセスポイント。
【請求項３０】
前記基準信号は、リバース決定グラント（ＲＤＧ）＝１という指示をもつ高スループット制御（ＨＴＣ）フィールドを含む、請求項２３に記載のアクセスポイント。
【請求項３１】
前記基準信号は、パワーセーブマルチポール（ＰＳＭＰ）フレームの少なくとも一部分を備え、ＳＴＡ情報フィールド内のＰＳＭＰ−ＵＴＴ開始オフセットは、アップリンク周波数分割多元接続（ＵＬ  ＦＤＭＡ）送信のための開始時間を識別し、ＰＳＭＰ−ＵＴＴ持続時間は、前記ＵＬ  ＦＤＭＡ送信の持続時間を識別し、ＳＴＡ  ＩＤフィールドは、送信することを可能にされたＳＴＡの識別子を備える、請求項２３に記載のアクセスポイント。
【請求項３２】
前記基準信号は、フレーム制御フィールドと、持続時間フィールドと、受信アドレスフィールドと、送信アドレスフィールドと、長さフィールドと、ＳＴＡ情報フィールドと、１つまたは複数のオプションのパディングビットと、フレームチェックシーケンス（ＦＣＳ）とを備える、請求項２３に記載のアクセスポイント。
【請求項３３】
前記基準信号は、サードパーティデバイスのための遅延時間の指示を備える、請求項２３に記載のアクセスポイント。
【請求項３４】
前記基準信号は、特定の時間において送信するために適格であるデバイスの指示を備える、請求項２３に記載のアクセスポイント。
【請求項３５】
前記基準信号は、少なくとも１つのデバイスが送信すべき電力レベルの指示を備える、請求項２３に記載のアクセスポイント。
【請求項３６】
前記基準信号は、前記ワイヤレスデバイスの第２のサブセットを使用することが各々可能な１つまたは複数のデバイスを含むワイヤレスデバイスのセットへのチャネルの割当てを備える、請求項２３に記載のアクセスポイント。
【請求項３７】
前記基準信号は、前記ワイヤレスデバイスのセット中の少なくとも１つのデバイスの送信時間の指示を備える、請求項２３に記載のアクセスポイント。
【請求項３８】
前記基準信号は、送信可フレーム（ＣＴＳ）を備える、請求項２３に記載のアクセスポイント。
【請求項３９】
前記基準信号は、送信可フレーム（ＣＴＳ）と、１つまたは複数のペイロード要素を備える拡張ペイロードとを備える、請求項２３に記載のアクセスポイント。
【請求項４０】
前記基準信号は、１つまたは複数のターゲットデバイスを指示する高スループット制御（ＨＴＣ）フィールドを備える送信可フレーム（ＣＴＳ）を備える、請求項２３に記載のアクセスポイント。
【請求項４１】
前記基準信号は、送信可フレーム（ＣＴＳ）と１つまたは複数のペイロード要素とを備える、アグリゲートメディアアクセス制御プロトコルデータユニット（Ａ−ＭＰＤＵ）を備える、請求項２３に記載のアクセスポイント。
【請求項４２】
前記プロセッサは、前記第１のワイヤレスデバイスおよび前記第２のワイヤレスデバイスから通信を受信するための時間をスケジュールするようにさらに構成される、請求項２３に記載のアクセスポイント。
【請求項４３】
前記プロセッサは、前記第１のワイヤレスデバイスおよび前記第２のワイヤレスデバイスから通信を受信するための時間をスケジュールし、前記スケジュールされた時間に、前記第１のワイヤレスデバイスおよび前記第２のワイヤレスデバイスへ、基準信号を送信するようにさらに構成された、請求項２３に記載のアクセスポイント。
【請求項４４】
前記受信機は、少なくとも１つのデバイスから、前記少なくとも１つのデバイスがデータを送る準備ができているという指示を受信するようにさらに構成される、請求項２３に記載のアクセスポイント。
【請求項４５】
前記受信機は、少なくとも１つのデバイスから、前記少なくとも１つのデバイスがデータを送る準備ができていることを指示するサービス品質（ＱｏＳ）フィールドを受信するようにさらに構成される、請求項２３に記載のアクセスポイント。
【請求項４６】
前記受信機は、少なくとも１つのデバイスから、前記少なくとも１つのデバイスがデータを送る準備ができていることを指示するパワーセーブポール（ＰＳ−Ｐｏｌｌ）フレームを受信するようにさらに構成される、請求項２３に記載のアクセスポイント。
【請求項４７】
高効率ワイヤレス周波数分割多重化のための装置であって、
アクセスポイントから第１のワイヤレスデバイスと第２のワイヤレスデバイスに、前記第１のワイヤレスデバイスと前記第２のワイヤレスデバイスの両方による使用のために利用可能なワイヤレス周波数のセットを含むワイヤレス媒体全体を予約するための基準信号を送信するための手段と、前記基準信号は、前記第１のワイヤレスデバイスと前記第２のワイヤレスデバイスのうちの少なくとも１つが通信を送信するべき電力レベルの指示を含み、前記基準信号は、フレーム制御フィールドと、持続時間フィールドと、受信アドレスフィールドと、送信アドレスフィールドと、長さフィールドと、ＳＴＡ情報フィールドと、１つまたは複数のオプションのパディングビットと、フレームチェックシーケンス（ＦＣＳ）とを含むデータフレームをさらに備える、
前記基準信号を送信することに応答して、前記アクセスポイントにおいて前記第１のワイヤレスデバイスから、前記ワイヤレス周波数のセットの第１のサブセット上で第１の通信を受信するための手段と、
前記基準信号を送信することに応答して、前記ワイヤレス周波数のセットの第２のサブセット上で第２の通信を受信するための手段と、前記ワイヤレス周波数の第１のサブセットおよび前記ワイヤレス周波数の第２のサブセットは、前記ワイヤレス周波数のセットの相互排他的なサブセットであり、前記アクセスポイントは、少なくとも部分的に重複する時間において前記第１のワイヤレス通信と前記第２のワイヤレス通信を受信する、
前記アクセスポイントから前記ワイヤレス周波数の第１のサブセットのみで、前記第１の通信と前記第２の通信の両方の単一のブロードキャスト確認応答を送信するための手段と、
を備える、装置。
【請求項４８】
実行されたとき、装置に、
第１のワイヤレスデバイスと第２のワイヤレスデバイスに、前記第１のワイヤレスデバイスと前記第２のワイヤレスデバイスの両方による使用のために利用可能なワイヤレス周波数のセットを含むワイヤレス媒体全体を予約するための基準信号を送信することと、前記基準信号は、前記第１のワイヤレスデバイスと前記第２のワイヤレスデバイスのうちの少なくとも１つが通信を送信すべき電力レベルの指示を含み、前記基準信号は、フレーム制御フィールドと、持続時間フィールドと、受信アドレスフィールドと、送信アドレスフィールドと、長さフィールドと、ＳＴＡ情報フィールドと、１つまたは複数のオプションのパディングビットと、フレームチェックシーケンス（ＦＣＳ）とを含むデータフレームをさらに備える、
前記基準信号を送信することに応答して、前記装置において前記第１のワイヤレスデバイスから、前記ワイヤレス周波数のセットの第１のサブセット上で第１の通信を受信することと、
前記基準信号を送信することに応答して、前記ワイヤレス周波数のセットの第２のサブセット上で第２の通信を受信することと、前記ワイヤレス周波数の第１のサブセットおよび前記ワイヤレス周波数の第２のサブセットは、前記ワイヤレス周波数のセットの相互排他的なサブセットであり、前記装置は、少なくとも部分的に重複する時間において前記第１のワイヤレス通信と前記第２のワイヤレス通信を受信する、
前記装置から前記ワイヤレス周波数の第１のサブセットのみで、前記第１の通信と前記第２の通信の両方の単一のブロードキャスト確認応答を送信することと、
を行わせるコードを備える、非一時的コンピュータ可読媒体。